(57)【要約】      （修正有）【課題】  複数の板部材を用意する煩雑な作業が無く、多種多様なデザインを採用でき、立体感・高級感を演出し、色調変化、金属質感、光の輝きなどが醸し出す、商品性を高めることのできる計器類用表示板および計器類用表示板の製造方法の提供。【解決手段】  光透過性基板１２と、光透過性基板１２の裏面に少なくとも１つの部分印刷層１４と、部分印刷層１４の色調とは異なる色調で設けられた異色印刷層１６とが設けられ、光透過性基板１２の表面に、部分印刷層１４の印刷部分の外周部の一部または全周を囲む位置と対応した位置に遮蔽部材１８が設けられ、部分印刷層１４と対応する部分の光透過性基板１２が透明層であることを特徴とする計器類用表示板。【選択図】  図１
2006275992.tif 000002
【特許請求の範囲】
【請求項１】
光透過性基板と、
前記光透過性基板の裏面に、
少なくとも１つの部分印刷層と、
前記部分印刷層の色調とは異なる色調で設けられた異色印刷層と、
が設けられ、
前記光透過性基板の表面に、
前記部分印刷層の印刷部分の外周部の一部または全周を囲む位置と対応した位置に遮蔽部材が設けられ、
前記部分印刷層と対応する部分の前記光透過性基板が透明層であることを特徴とする計器類用表示板。
【請求項２】
前記光透過性基板の全体が透明層であることを特徴とする請求項１に記載の計器類用表示板。
【請求項３】
前記光透過性基板の透明層が、
無色透明層であることを特徴とする請求項１または２に記載の計器類用表示板。
【請求項４】
前記光透過性基板の透明層が、
有色透明層であることを特徴とする請求項１または２に記載の計器類用表示板。
【請求項５】
前記透明層である前記光透過性基板の上面に、
部分的に前記透明層とは異なる色調の透明層を有することを特徴とする請求項１から４のいずれかに記載の計器類用表示板。
【請求項６】
前記光透過性基板が、
その表面に少なくとも１つの模様が設けられていることを特徴とする請求項１から５のいずれかに記載の計器類用表示板。
【請求項７】
前記光透過性基板が、
その裏面に少なくとも１つの模様が設けられていることを特徴とする請求項１から６のいずれかに記載の計器類用表示板。
【請求項８】
前記光透過性基板に設けられた模様が、
前記光透過性基板の一部に設けられた部分模様であることを特徴とする請求項６または７に記載の計器類用表示板。
【請求項９】
前記部分模様が、
前記部分印刷層に対応する部分に設けられていることを特徴とする請求項８に記載の計器類用表示板。
【請求項１０】
前記異色印刷層が、
前記光透過性基板の裏面に設けられた部分印刷層とその他の部分とを覆うよう設けられていることを特徴とする請求項１から９のいずれかに記載の計器類用表示板。
【請求項１１】
前記異色印刷層が、
前記光透過性基板の裏面の前記部分印刷層を除いた部分に設けられていることを特徴する請求項１から９のいずれかに記載の計器類用表示板。
【請求項１２】
前記異色印刷層が、
前記光透過性基板の裏面の前記部分印刷層の外周部に接するように設けられていることを特徴する請求項１１に記載の計器類用表示板。
【請求項１３】
前記部分印刷層と前記異色印刷層との色調関係が、
略補色の関係であることを特徴とする請求項１から１２のいずれかに記載の計器類用表示板。
【請求項１４】
前記部分印刷層が、
メタリック調の色調を有することを特徴とする請求項１から１３のいずれかに記載の計器類用表示板。
【請求項１５】
前記異色印刷層が、
メタリック調の色調を有することを特徴とする請求項１から１４のいずれかに記載の計器類用表示板。
【請求項１６】
前記光透過性基板に、
表示印刷層が設けられていることを特徴とする請求項１から１５のいずれかに記載の計器類用表示板。
【請求項１７】
前記遮蔽部材に、
表示印刷層が設けられていることを特徴とする請求項１から１６のいずれかに記載の計器類用表示板。
【請求項１８】
前記表示印刷層が、
色調の異なるインキでそれぞれのインキが部分的に重なるように設けられていることを特徴とする請求項１６または１７に記載の計器類用表示板。
【請求項１９】
前記表示印刷層が、
色調の異なるインキでそれぞれのインキが部分的に接するように設けられていることを特徴とする請求項１６または１７に記載の計器類用表示板。
【請求項２０】
前記遮蔽部材の表面に、
装飾被膜と前記表示印刷層を備えることを特徴とする請求項１から１９のいずれかに記載の計器類用表示板。
【請求項２１】
前記遮蔽部材が、
インキ被膜または金属被膜により形成されていることを特徴とする請求項１から２０のいずれかに記載の計器類用表示板。
【請求項２２】
前記遮蔽部材が、
電着法により作られることを特徴とする請求項１から２１のいずれかに記載の計器類用表示板。
【請求項２３】
前記遮蔽部材が、
金属板の外形抜きまたはケミカルエッチングによって作られることを特徴とする請求項１から２２のいずれかに記載の計器類用表示板。
【請求項２４】
前記遮蔽部材の厚みが、
０．０３μｍ〜５０μｍであることを特徴とする請求項１から２３のいずれかに記載の
計器類用表示板。
【請求項２５】
前記遮蔽部材が、
前記光透過性基板の表面に接着剤または粘着剤を介して固定されていることを特徴とする請求項１から２４のいずれかに記載の計器類用表示板。
【請求項２６】
請求項１から２５のいずれかに記載の前記計器類用表示板を、
時計用表示板として用いたことを特徴とする時計用表示板。
【請求項２７】
少なくとも部分印刷層と対応する部分が透明である光透過性基板を用意する工程と、
前記光透過性基板の裏面に、
少なくとも１つの部分印刷層を形成する工程と、
前記光透過性基板の裏面に、
前記部分印刷層の色調とは異なる色調の異色印刷層を形成する工程と、
前記光透過性基板の表面に、
前記部分印刷層の印刷部分の外周部の一部または全周を囲む位置と対応した位置に遮蔽部材を設ける工程とを備えることを特徴とする計器類用表示板の製造方法。
【発明の詳細な説明】
【技術分野】
【０００１】
本発明は、各種の計器類（例えば自動車のメーターパネル）の表面側（上面側）に配設される計器類用表示板（文字板）に関する。
さらに詳しくは、時計に内蔵され光エネルギーを電気エネルギーに返還して使用するソーラーセル（太陽電池）、または、時計に内蔵されたバックライト照明用のエレクトロルミネッセンス（ＥＬ）、またはその両方の表面側（上面側）に配設される時計用表示板（文字板）に関する。
【背景技術】
【０００２】
従来より計器類の表面側（上面側）に配設される計器類用表示板（文字板）には、各種の文字、数字、図形などが付与されている。
特に時計の表面側（上面側）に配設される時計用表示板（文字板）は、文字、数字、図形などが複数付与されており、また、ソーラーセル（太陽電池）付時計においても同様、時計用表示板（文字板）には、文字、数字、図形などが複数付与されており、これらの組み合わせにより、視認性・デザイン性の向上、高級感の演出などが行われている。
【０００３】
例えば、このような時計用文字板１００としては、特許文献１の従来技術として図１３に示したように、１枚の円盤状の板１０２から切削加工によりサブダイヤル部１０４を形成する方法が従来より採られている。
【０００４】
このような時計用文字板１００は、サブダイヤル部１０４が時計用文字板１００の他の部分よりも低くなっているため、実際に時計用文字板１００のサブダイヤル部１０４とその他の部分との高低差により立体感を有している。
【０００５】
しかしながら、切削加工によるサブダイヤル部１０４の形状の制限、加工工数が多工数であるなどの問題があり、また時計用文字板１００にある程度の厚みを持たせなければならないなどの課題があった。
【０００６】
このため、図１４に示した特許文献１の時計用文字板２００では、サブダイヤル部２０４を構成する下板２０６と文字板ベースを構成する上板２０２とを別工程により製作し、これらを重ね合わせて形成する方法がなされている。
【０００７】
このような方法によれば、サブダイヤル部２０４を構成する下板２０６と、文字板ベースを構成する上板２０２とが別々の部材であるため、立体感を演出できるとともに、下板２０６と上板２０２とを異色にしてデザイン性を向上することもできる。
【０００８】
また、ソーラーセル付時計用表示板やバックライト付時計用表示板においては、光の透過性が要求されるため、樹脂材からなる時計用表示板が用いられている。
このような樹脂材からなるソーラーセル付時計用表示板やバックライト付時計用表示板も、図１４に示した時計用文字板２００と同様、樹脂材よりなるそれぞれ２枚の別体を接着剤を介して貼り合わせて時計用表示板を構成することにより、立体感を演出できるとともにデザイン性を向上することができる。
【特許文献１】実開昭４９−９４６６４号公報
【発明の開示】
【発明が解決しようとする課題】
【０００９】
しかしながら、このような下板２０６と上板２０２とを重ね合わせて形成された時計用
文字板２００、または樹脂材よりなる２枚の別体を重ね合わせて形成された時計用表示板は、立体感を演出するために、複数の板部材を積層させており、使用される部材も多く、煩雑な作業工程は増える一方であり、これらの問題の解決が求められていた。
【００１０】
本発明は、このような現状に鑑み、複数の板部材を用いることなく、煩雑な作業を低減するとともに立体感を演出することができ、今までにない、色調変化、金属質感、光の輝きなどが醸し出された、極めて、高級感、デザインバリエーションに優れ、外観品質が良好で、商品性を高めることのできる計器類用表示板および計器類用表示板の製造方法を提供することを目的とする。
【課題を解決するための手段】
【００１１】
本発明は、前述したような従来技術における課題及び目的を達成するために発明されたものであって、本発明の計器類用表示板は、
光透過性基板と、
前記光透過性基板の裏面に、
少なくとも１つの部分印刷層と、
前記部分印刷層の色調とは異なる色調で設けられた異色印刷層と、
が設けられ、
前記光透過性基板の表面に、
前記部分印刷層の印刷部分の外周部の一部または全周を囲む位置と対応した位置に遮蔽部材が設けられ、
前記部分印刷層と対応する部分の前記光透過性基板が透明層であることを特徴とする。
【００１２】
また、本発明の計器類用表示板の製造方法は、
少なくとも部分印刷層と対応する部分が透明である光透過性基板を用意する工程と、
前記光透過性基板の裏面に、
少なくとも１つの部分印刷層を形成する工程と、
前記光透過性基板の裏面に、
前記部分印刷層の色調とは異なる色調の異色印刷層を形成する工程と、
前記光透過性基板の表面に、
前記部分印刷層の印刷部分の外周部の一部または全周を囲む位置と対応した位置に遮蔽部材を設ける工程とを備えることを特徴とする。
【００１３】
このように、構成することによって、上部より計器類用表示板を見た際、光透過性基板の少なくとも遮蔽部材で囲まれた内側は透明層であるため、光透過性基板の裏面に設けられた部分印刷層が光透過性基板の表面に見え、さらに光透過性基板の表面に遮蔽部材が設けられているとともに、部分印刷層が遮蔽部材に囲まれて見えることとなり、あたかも遮蔽部材が立体的に付与されているように見え、立体感を演出することができる。
【００１４】
また、光透過性基板の裏面に設けられた異色印刷層は、光透過性基板の裏面と表面との奥行きの差と、異色印刷層と部分印刷層との色の違いにより遮蔽部材の外側部分より見えるため、遮蔽部材の立体感をより演出することができる。
【００１５】
また、今までにない、色調変化、金属質感、光の輝きなどが醸し出された、極めて、高級感、デザインバリエーションに優れ、外観品質が良好で、商品性を高めることのできる計器類用表示板を提供することができる。
【００１６】
また、本発明の計器類用表示板は、
前記光透過性基板の全体が透明層であることを特徴とする。
このように、構成することによって、上部より計器類用表示板を見た際に、光透過性基板
の全体が透明層であるため、光透過性基板の裏面に設けられた部分印刷層が光透過性基板の表面に見え、さらに光透過性基板の表面に遮蔽部材が設けられているとともに、部分印刷層は遮蔽部材に囲まれて見えることとなり、あたかも遮蔽部材が立体的に付与されているように見え、立体感を演出することができる。
【００１７】
また、光透過性基板の裏面に設けられた異色印刷層が、光透過性基板の裏面と表面との奥行きの差と、異色印刷層と部分印刷層との色の違いにより遮蔽部材の外側部分より見えるため、遮蔽部材の立体感をより演出することができる。
【００１８】
また、今までにない、色調変化、金属質感、光の輝きなどが醸し出された、極めて、高級感、デザインバリエーションに優れ、外観品質が良好で、商品性を高めることのできる計器類用表示板を提供することができる。
【００１９】
さらに、ソーラーセル（太陽電池）付時計の表示板であれば、所定の光透過率を確保することができ、ソーラーセルの発電に寄与する光透過率を有し、ソーラー時計自体の機能を阻害することがなく、常時時計を作動することができる。
【００２０】
また、本発明の計器類用表示板は、
前記光透過性基板の透明層が、
無色透明層であることを特徴とする。
【００２１】
このように光透過性基板が無色透明層であれば、上部より計器類用表示板を見た際に、光透過性基板が無色透明層であるため、光透過性基板の裏面に設けられた部分印刷層が光透過性基板の表面に見え、さらに光透過性基板の表面に遮蔽部材が設けられているとともに、部分印刷層は遮蔽部材に囲まれて見えることとなり、あたかも遮蔽部材が立体的に付与されているように見え、立体感を演出することができる。
【００２２】
また、光透過性基板の裏面に設けられた異色印刷層が、光透過性基板の裏面と表面との奥行きの差と、異色印刷層と部分印刷層との色の違いにより遮蔽部材の外側部分より見えるため、遮蔽部材の立体感をより演出することができる。
【００２３】
また、計器類用表示板の上面より、下面に設けられた部分印刷層と異色印刷層とがはっきりと見え、視認性が高まる。
また、今までにない、色調変化、金属質感、光の輝きなどが醸し出された、極めて、高級感、デザインバリエーションに優れ、外観品質が良好で、商品性を高めることのできる計器類用表示板を提供することができる。
【００２４】
また、本発明の計器類用表示板は、
前記光透過性基板の透明層が、
有色透明層であることを特徴とする。
【００２５】
このように光透過性基板が有色透明層であれば、上部より計器類用表示板を見た際に、光透過性基板が有色透明層であるため、光透過性基板の裏面に設けられた部分印刷層が光透過性基板の表面に見え、さらに光透過性基板の表面に遮蔽部材が設けられているとともに、部分印刷層は遮蔽部材に囲まれて見えることとなり、あたかも遮蔽部材が立体的に付与されているように見え、立体感を演出することができる。
【００２６】
また、光透過性基板の裏面に設けられた異色印刷層が、光透過性基板の裏面と表面との奥行きの差と、異色印刷層と部分印刷層との色調の違いにより遮蔽部材の外側部分より見えるため、遮蔽部材の立体感をより演出することができる。
【００２７】
さらに、計器類用表示板の上面より、下面に設けられた部分印刷層と異色印刷層とがはっきりと見え、視認性が高まる。
また、今までにない、色調変化、金属質感、光の輝きなどが醸し出された、極めて、高級感、デザインバリエーションに優れ、外観品質が良好で、商品性を高めることのできる計器類用表示板を提供することができる。
【００２８】
また、様々な色を有する光透過性基板を製造することができ、その上、部分印刷層と有色透明層との組み合わせにより、いろいろな表現が可能となりバリエーション豊かな計器類用表示板を提供することができる。
【００２９】
また、本発明の計器類用表示板は、
前記透明層である前記光透過性基板の上面に、
部分的に前記透明層とは異なる色調の透明層を有することを特徴とする。
【００３０】
このように構成することによって、例えば光透過性基板が無色透明層からなり、その上面の、光透過性基板を上面より見た際に見える部分印刷層と一致する位置に有色透明層が形成されていれば、無色透明層の裏面に形成された部分印刷層と、有色透明層とが重なり合って、新たな色調を醸し出すことができる。
【００３１】
また、光透過性基板が無色透明層からなり、その上面の、光透過性基板を上面より見た際に見える部分印刷層以外の部分に有色透明層が形成されていてもよい。
さらに、光透過性基板が無色透明層または有色透明層からなり、その上面の光透過性基板を上面より見た際に見える部分印刷層に部分的に一致する位置に、部分印刷層と異なる色調を有する有色透明層が形成されてもよい。
【００３２】
また、光透過性基板が有色透明層からなり、その上面の、光透過性基板を上面より見た際に見える部分印刷層と一致する位置に光透過性基板の基材となる有色透明層とは異なる色調を有する有色透明層が形成されていてもよい。
【００３３】
このように部分印刷層、透明層よりなる光透過性基板、光透過性基板の上面に形成される透明層の組み合わせにより、いろいろな色調表現が可能となりバリエーション豊かな計器類用表示板を提供することができる。
【００３４】
また、本発明の計器類用表示板は、
前記光透過性基板が、
その表面に少なくとも１つの模様が設けられていることを特徴とする。
【００３５】
このように光透過性基板の表面に少なくとも１つの模様が設けられていれば、上部より計器類用表示板を見た際に、光透過性基板の裏面に設けられた部分印刷層が光透過性基板の表面に見え、さらに光透過性基板の表面に遮蔽部材が設けられているとともに、部分印刷層は遮蔽部材に囲まれて見えることとなり、あたかも遮蔽部材が立体的に付与されているように見え、立体感を演出することができる。
【００３６】
さらに、光透過性基板の表面の模様に光を受けた際には光を反射し、美しい外観を提供するとともに、この模様有無の部位によって、光を受けた際の光透過性基板表面の輝き方が異なるため、これによっても立体感を演出することができる。
【００３７】
また、光透過性基板の裏面に設けられた異色印刷層が、光透過性基板の裏面と表面との奥行きの差と、異色印刷層と部分印刷層との色調の違いにより遮蔽部材の外側部分より見
えるため、遮蔽部材の立体感をより演出することができる。
【００３８】
さらに、光透過性基板の表面に模様を設けることにより、今までにない、色調変化、金属質感、光の輝きなどが醸し出された、極めて、高級感、デザインバリエーションに優れ、外観品質が良好で、商品性を高めることのできる計器類用表示板を提供することができる。
【００３９】
また、本発明の計器類用表示板は、
前記光透過性基板が、
その裏面に少なくとも１つの模様が設けられていることを特徴とする。
【００４０】
このように光透過性基板の裏面に少なくとも１つの模様が設けられていれば、上部より計器類用表示板を見た際に、光透過性基板の裏面に設けられた部分印刷層が光透過性基板の表面に見え、さらに光透過性基板の表面に遮蔽部材が設けられているとともに、部分印刷層は遮蔽部材に囲まれて見えることとなり、あたかも遮蔽部材が立体的に付与されているように見え、立体感を演出することができる。
【００４１】
さらに光透過性基板の裏面の模様に光が当たった際、光透過性基板の奥で光を反射し、美しい外観を提供するとともにの模様有無の部位によって、光を受けた際の光透過性基板表面の輝き方が異なるため、これによっても立体感を演出することができる。
【００４２】
さらに、光透過性基板の表面に模様を設けることにより、今までにない、色調変化、金属質感、光の輝きなどが醸し出された、極めて、高級感、デザインバリエーションに優れ、外観品質が良好で、商品性を高めることのできる計器類用表示板を提供することができる。
【００４３】
また、本発明の計器類用表示板は、
前記光透過性基板に設けられた模様が、
前記光透過性基板の一部に設けられた部分模様であることを特徴とする。
【００４４】
このように光透過性基板の一部に部分模様が設けられていれば、上部より計器類用表示板を見た際に、光透過性基板の裏面に設けられた部分印刷層が光透過性基板の表面に見え、さらに光透過性基板の表面に遮蔽部材が設けられているとともに、部分印刷層は遮蔽部材に囲まれて見えることとなり、あたかも遮蔽部材が立体的に付与されているように見え、立体感を演出することができる。
【００４５】
さらに光透過性基板の表面の模様に光が当たった際、光を反射し、美しい外観を提供するとともにの模様有無の部位によって、光を受けた際の光透過性基板表面の輝き方が異なるため、これによっても立体感を演出することができる。
【００４６】
また、部分的に模様を設けることにより、模様の有る部位と無い部位とで、異なる高さの面であるように見せることができる。
また、光透過性基板の裏面に設けられた部分印刷層が光透過性基板の表面に設けられた遮蔽部材に囲まれて見え、さらに光透過性基板の裏面に設けられた異色印刷層は遮蔽部材の外側部分より見えるため、光透過性基板の裏面と表面との奥行きの差と、異色印刷層と部分印刷層との色調の違いにより、立体感を演出することができる。
【００４７】
さらに、光透過性基板の表面の一部に部分模様を設けることにより、今までにない、色調変化、金属質感、光の輝きなどが醸し出された、極めて、高級感、デザインバリエーションに優れ、外観品質が良好で、商品性を高めることのできる計器類用表示板を提供する
ことができる。
【００４８】
また、本発明の計器類用表示板は、
前記部分模様が、
前記部分印刷層に対応する部分に設けられていることを特徴とする。
【００４９】
このように光透過性基板の裏面に設けられた部分印刷層に対応する部分に部分模様が設けられていれば、上部より計器類用表示板を見た際に、光透過性基板の裏面に設けられた部分印刷層が光透過性基板の表面に見え、さらに光透過性基板の表面に遮蔽部材が設けられているとともに、部分印刷層は遮蔽部材に囲まれて見えるとともに、模様の有る部位と無い部位とによって、あたかも遮蔽部材が立体的に付与されているように見え、立体感を演出することができる。
【００５０】
さらに光透過性基板の表面の部分模様に光が当たった際、光を反射し、美しい外観を提供するとともにの模様有無の部位によって、光を受けた際の光透過性基板表面の輝き方が異なるため、これによっても立体感を演出することができる。
【００５１】
さらに、光透過性基板の裏面に設けられた部分印刷層に対応する部分に部分模様が設けられていれば、今までにない、色調変化、金属質感、光の輝きなどが醸し出された、極めて、高級感、デザインバリエーションに優れ、外観品質が良好で、商品性を高めることのできる計器類用表示板を提供することができる。
【００５２】
また、光透過性基板の裏面に設けられた部分印刷層と異色印刷層に対応する部分に部分模様が設けてあれば、遮蔽部材で囲まれた部分印刷層部分を際立たせることができるため、より立体感を演出することができる。
【００５３】
また、本発明の計器類用表示板は、
前記異色印刷層が、
前記光透過性基板の裏面に設けられた部分印刷層とその他の部分とを覆うよう設けられていることを特徴とする。
【００５４】
このように部分印刷層を異色印刷層で覆うように設けられていれば、部分印刷層と異色印刷層との重なりにより新たな色合いが生まれるとともに、上部から計器類用表示板を見たときに、色のコントラストを楽しみながら立体感を演出することができる。
【００５５】
また、部分印刷層と異色印刷層の重なり合う部分（特に遮蔽部材で囲まれた部分）と、異色印刷層のみの部分とでは層の厚みが異なるため、光透過性基板に光を受けた際に輝き方が部分的に異なり、遮蔽部材をより立体的に見せることができる。
【００５６】
また、本発明の計器類用表示板は、
前記異色印刷層が、
前記光透過性基板の裏面の前記部分印刷層を除いた部分に設けられていることを特徴とする。
【００５７】
このように構成することによって、部分印刷層と異色印刷層との違いをはっきりさせることができ、上部から計器類用表示板を見たときに遮蔽部材の内側に囲まれた部分印刷層が強調されて見えることとなるため、より立体感を演出することができる。
【００５８】
また、本発明の計器類用表示板は、
前記異色印刷層が、
前記光透過性基板の裏面の前記部分印刷層の外周部に接するように設けられていることを特徴とする。
【００５９】
このように構成することによって、光透過性基板の裏面の部分印刷層と異色印刷層との色の違いを際立たせるとともに色と色との境界が明確となり、遮蔽部材による立体感の演出を更なるものとすることができる。
【００６０】
また、本発明の計器類用表示板は、
前記部分印刷層と前記異色印刷層との色調関係が、
略補色の関係であることを特徴とする。
【００６１】
このように部分印刷層と異色印刷層の色調関係を略補色の関係にすることによって、色と色との違いが鮮明となり、部分印刷層と異色印刷層の違いを際立たせることができる。
さらに、上部より計器類用表示板を見ると、光透過性基板の裏面に設けられた部分印刷層が光透過性基板の表面に設けられた遮蔽部材に囲まれて見え、さらに光透過性基板の裏面に設けられた異色印刷層は遮蔽部材の外側部分より見えるため、光透過性基板の裏面と表面との奥行きの差と、異色印刷層と部分印刷層との色調の違いにより、立体感を演出することができる。
【００６２】
また、今までにない、色調変化、金属質感、光の輝きなどが醸し出された、極めて、高級感、デザインバリエーションに優れ、外観品質が良好で、商品性を高めることのできる計器類用表示板を提供することができる。
【００６３】
また、本発明の計器類用表示板は、
前記部分印刷層が、
メタリック調の色調を有することを特徴とする。
【００６４】
このように部分印刷層がメタリック調の色調を有すると、部分印刷層に光が当たった際に光が反射して、美しさを演出することができる。
また、他の立体感を出す演出との相乗効果により、より立体感のある計器類用表示板を提供することができる。
【００６５】
さらに、今までにない、色調変化、金属質感、光の輝きなどが醸し出された、極めて、高級感、デザインバリエーションに優れ、外観品質が良好で、商品性を高めることのできる計器類用表示板を提供することができる。
【００６６】
また、計器類用表示板が時計用表示板であれば、光透過性基板の表面に印刷された数字や文字などの情報が際立って見え、時計の文字板上にある情報を確実に見る人に伝えることができる。
【００６７】
また、本発明の計器類用表示板は、
前記異色印刷層が、
メタリック調の色調を有することを特徴とする。
【００６８】
このように異色印刷層がメタリック調の色調を有すると、異色印刷層に光が当たった際に光が反射して、美しさを演出することができる。
また、他の立体感を出す演出との相乗効果により、より立体感のある計器類用表示板を提供することができる。
【００６９】
また、計器類用表示板が時計用表示板であれば、光透過性基板の表面に印刷された数字
や文字などの情報が際立って見え、時計の文字板上にある情報を確実に見る人に伝えることができる。
【００７０】
また、本発明の計器類用表示板は、
前記光透過性基板に、
表示印刷層が設けられていることを特徴とする。
【００７１】
このように光透過性基板に表示印刷層が設けられていれば、様々なデザインを演出することができるとともに、使用者に必要な情報を確実に伝えることができる。
また、多種多様なデザインとすることにより、ニーズに合わせた計器類用表示板を提供することができる。
【００７２】
さらに、他の立体感を出す演出との相乗効果により、より立体感のある計器類用表示板を提供することができる。
また、計器類用表示板が時計用表示板であれば、表示印刷層に印刷された数字や文字などの情報により、時計の文字板上にある情報を確実に見る人に提供することができる。
【００７３】
また、本発明の計器類用表示板は、
前記遮蔽部材に、
表示印刷層が設けられていることを特徴とする。
【００７４】
このように遮蔽部材に表示印刷層が設けられていれば、様々なデザインを演出することができるとともに、使用者に必要な情報を確実に伝えることができる。
また、多種多様なデザインとすることにより、ニーズに合わせた計器類用表示板を提供することができる。
【００７５】
さらに、他の立体感を出す演出との相乗効果により、より立体感のある計器類用表示板を提供することができる。
また、計器類用表示板が時計用表示板であれば、表示印刷層に印刷された数字や文字などの情報により、時計の文字板上にある情報を確実に見る人に提供することができる。
【００７６】
また、本発明の計器類用表示板は、
前記表示印刷層が、
色調の異なるインキでそれぞれのインキが部分的に重なるように設けられていることを特徴とする。
【００７７】
このように構成することによって、インキとインキの色の違いが陰影のように見え、立体感を演出することができる。
また、インキとインキとが重なり合っているため、立体感を演出することができる。
【００７８】
さらに、計器類用表示板が時計用表示板であれば、表示印刷層に印刷された数字や文字などの情報が際立って見え、時計の文字板上にある情報を確実に見る人に提供することができる。
【００７９】
また、本発明の計器類用表示板は、
前記表示印刷層が、
色調の異なるインキでそれぞれのインキが部分的に接するように設けられていることを特徴とする。
【００８０】
このように構成することによって、インキとインキの色の違いが陰影のように見え、立
体感を演出することができる。
また、インキとインキとが重なり合っているため、立体感を演出することができる。
【００８１】
さらに、色調の異なるインキとインキとが接しているため、インキとインキの境界線が際立ち、はっきりした表示印刷層を有する計器類用表示板を提供することができる。
また、計器類用表示板が時計用表示板であれば、表示印刷層に印刷された数字や文字などの情報が際立って見え、時計の文字板上にある情報を確実に見る人に提供することができる。
【００８２】
また、本発明の計器類用表示板は、
前記遮蔽部材の表面に、
装飾被膜と前記表示印刷層を備えることを特徴とする。
【００８３】
このように、遮蔽部材の表面に装飾被膜と表示印刷層を備えれば、装飾被膜と表示印刷層の色の違いにより装飾被膜の上面に設けられた表示印刷層が際立つとともに、新たなコントラストが生まれ、デザイン性を向上することができる。
【００８４】
また、装飾被膜と表示印刷層により遮蔽部材全体が際立つため、遮蔽部材の立体感をより演出することができる。
また、装飾被膜を光の反射し易い色調とすれば、遮蔽部材の表面の装飾被膜に光が反射して、美しさを演出するとともに、高級感を演出することができる。
【００８５】
また、計器類用表示板が時計用表示板であれば、遮蔽部材の表面に設けられた装飾被膜によって表示印刷層に印刷された数字や文字などの情報がさらに際立って見え、時計の文字板上にある情報を確実に見る人に提供することができる。
【００８６】
また、本発明の計器類用表示板は、
前記遮蔽部材が、
インキ被膜または金属被膜により形成されていることを特徴とする。
【００８７】
このように遮蔽部材をインキ被膜または金属被膜により形成すれば、新たに部材を用意する煩雑な作業が無くなるため、コストを低減することができる。
また、インキ被膜または金属被膜を用いれば、複雑な形状を作成することも可能であるとともに、様々な色に塗装することができるためデザイン性を飛躍的に向上させることができる。
【００８８】
さらに、デザイン性を飛躍的に向上させた遮蔽部材は、際立つこととなるため、立体感が生ずることとなる。
また、本発明の計器類用表示板は、
前記遮蔽部材が、
電着法により作られることを特徴とする。
【００８９】
このように電着法を用いることにより、複雑な形状の遮蔽部材を作成することも可能であるとともに、高精度な遮蔽部材を作成することができるためデザイン性を飛躍的に向上させることができるとともに、計器類などの文字情報を確実に見るひとに提供することができる。
【００９０】
また、新たに部材を用意する煩雑な作業が無くなるため、コストを低減することができる。
また、精度、美観性、繊細性などが要求される腕時計などに用いられる計器類用表示板
であっても、確実に遮蔽部材を光透過性基板に電着し、立体感を演出することができる。
【００９１】
また、本発明の計器類用表示板は、
前記遮蔽部材が、
金属板の外形抜きまたはケミカルエッチングによって作られることを特徴とする。
【００９２】
このように構成することによって、精度、美観性、繊細性などが要求される腕時計などに用いられる計器類用表示板を、確実に形成するとともに効果的に立体感を演出することができる。
【００９３】
また、金属板の外形抜きにより遮蔽部材が作られる場合には、プレス機のみで作ることができるため、製作コストを抑えることができる。
さらに、ケミカルエッチングにより遮蔽部材が作られる場合には、一度に大量（例えば２００個）の遮蔽部材を作ることができる。
【００９４】
また、本発明の計器類用表示板は、
前記遮蔽部材の厚みが、
０．０３μｍ〜５０μｍであることを特徴とする。
【００９５】
このように遮蔽部材の厚みが僅か０．０３μｍ〜５０μｍの範囲幅であっても、例えば光透過性基板、光透過性基板の上面に設けられた遮蔽部材、計器類用表示板を上部より見た際に遮蔽部材の内側に見える光透過性基板の裏面に設けられた部分印刷層などの相乗効果により、遮蔽部材の立体感を演出することができる。
【００９６】
また、本発明の計器類用表示板は、
前記遮蔽部材が、
前記光透過性基板の表面に接着剤または粘着剤を介して固定されていることを特徴とする。
【００９７】
このように接着剤または粘着剤を用いることにより、確実に光透過性基板の表面に遮蔽部材を接着することができる。
また、特に激しい動作環境下で使用される腕時計に計器類用表示板が用いられても、遮蔽部材は光透過性基板に確実に接着されているため故障の原因を生ずることを確実に防止できる。
【００９８】
また、本発明の時計用表示板は、
前記計器類用表示板を、
時計用表示板として用いたことを特徴とする。
【００９９】
このように計器類用表示板を時計用表示板として用いれば、デザイン性が高く、立体感・高級感があり、視認性が良好な時計用表示板を提供することができる。
また、特にソーラーセルを用いたソーラー時計用表示板に用いれば、所定の光透過率を確実に確保することができ、ソーラーセルの発電に寄与する光透過率を有し、ソーラー時計自体の機能を阻害することがなく、常時時計を作動することができる。
【０１００】
さらに、時計用表示板上の数字や文字からなる情報を確実に見る人に提供することができるとともに、上記の様々な作用により遮蔽部材が立体的に見えるため、視認性も良く、デザイン性も良好な時計用表示板を提供することができる。
【発明の効果】
【０１０１】
本発明によれば、複数の板部材を用意する煩雑な作業が無く、多種多様なデザインを採用でき、立体感・高級感を演出することができ、また、今までにない、色調変化、金属質感、光の輝きなどが醸し出された、極めて、高級感、デザインバリエーションに優れ、外観品質が良好で、商品性を高めることのできる計器類用表示板および計器類用表示板の製造方法を提供することができる。
【発明を実施するための最良の形態】
【０１０２】
以下、本発明の実施の形態（実施例）を図面に基づいてより詳細に説明する。
図１（ａ）は、本発明の第１の実施例である計器類用表示板の概略正面図、図１（ｂ）は図１（ａ）のＡ−Ａ線による断面図、図２は、本発明の第１の実施例である計器類用表示板の部分印刷層と異色印刷層の関係を説明するために用いる色相環の図である。
【０１０３】
図１（ａ）、図１（ｂ）に示したように、１０は全体で本発明の計器類用表示板を示している。
なお、以下の実施例では、全て本発明の計器類用表示板をソーラー時計用表示板として適用した実施例について説明するが、これ以外にも、自動車のメーターパネルなど各種の計器類の表示板、時計用表示板、電波時計用表示板、置き時計用表示板、掛け時計用表示板など、あらゆる計器類用表示板として適用できるものである。
【０１０４】
図１（ａ）、図１（ｂ）に示したように計器類用表示板１０は、光が透過可能な樹脂からなる光透過性基板１２を基材として構成されている。
この光透過性基板１２の裏面には、部分印刷層１４が部分的に設けられている。
【０１０５】
さらに、部分印刷層１４の上からは異色印刷層１６が重ねて設けられており、異色印刷層１６は光透過性基板１２の全面に設けられている。
一方、光透過性基板１２の表面には、接着剤３４を介してリング状またはリングを部分的に切断した形状から成る遮蔽部材１８が設けられている。
【０１０６】
この遮蔽部材１８の上面には金属的な光沢を有する装飾被膜３２が設けられ、その上から必要に応じて文字や記号などから成る表示印刷層２６が印刷されている。
また、部分印刷層１４と遮蔽部材１８とは、上方より計器類用表示板１０を見た際に、遮蔽部材１８の内周側に部分印刷層１４が見えるような位置関係となっている。
【０１０７】
さらに、部分印刷層１４と遮蔽部材１８とは、光透過性基板１２を挟んで光透過性基板１２の表面と裏面に設けられているため、上方より計器類用表示板１０を見た際に、部分印刷層１４が遮蔽部材１８の内週側より深い位置に見えるため、結果として、遮蔽部材１８が光透過性基板１２の表面に立体的に見えることとなる。
【０１０８】
また、計器類用表示板１０の裏面に設けられた異色印刷層１６は、上方より計器類用表示板１０を見た際に遮蔽部材１８の内周側に見える部分印刷層１４と異なる色調の色合いであるため、遮蔽部材１８の内側と外側とで色が異なり、より遮蔽部材が光透過性基板１２の表面に立体的に見えることとなる。
【０１０９】
このような時計用表示板１０の核となる光透過性基板１２は、その基材が合成樹脂からなるのが一般的である。
光透過性基板１２の基材を構成する合成樹脂としては、ポリカーボネート樹脂、アクリル樹脂、ポリアセタール樹脂、ＡＢＳ樹脂、ポリエチレン樹脂、ポリプロピレン樹脂、ポリスチレン樹脂、またはポリエチレンテレフタレート樹脂からから選択した少なくとも１種の樹脂からなるのが好ましい。
【０１１０】
このような、光透過性基板１２は射出成形によって成形され、腕時計などの各種計器類の寸法に応じた所定寸法に外形抜きによって作製すればよく、その厚さとしては、３００〜５００μｍの厚さであるのが好ましい。
【０１１１】
さらに、光透過性基板１２として、他種類の樹脂をブレンドした、いわゆるポリマーアロイを用いてもよく、例えば、ポリカーボネート樹脂、アクリル樹脂、ポリアセタール樹脂、ＡＢＳ樹脂、ポリエチレン樹脂、ポリプロピレン樹脂、ポリスチレン樹脂、またはポリエチレンテレフタレート樹脂から選択した少なくとも２種の樹脂を組み合わせてなるポリマーアロイを用いることができる。
【０１１２】
この場合、樹脂のブレンドの割合は、成形性、金属メッキなどの表面処理性、吸湿性などを考慮して適宜変更可能であって特に限定されるものではなく、例えば、主成分樹脂として、ポリカーボネート樹脂を用い、副樹脂としてＡＢＳ樹脂用いた場合には、ＡＢＳ樹脂の有する表面処理性、成形性などが発現することになるので、主樹脂に対して、一例を挙げれば、２０重量％にするなど適宜変更することができる。
【０１１３】
このようなポリマーアロイとして、例えば、「ダイヤアロイ（商品名）」三菱レーヨン株式会社製などが使用可能である。
この場合にも、光透過性基板１２は射出成形によって成形され、計器類寸法に応じた所定寸法に外形抜きによって作製すればよく、その厚さとしては、３００〜５００μｍの厚さであるのが好ましい。
【０１１４】
このようなポリマーアロイを用いることによって、表示印刷層２６や遮蔽部材１８との密着性、表面処理性、成形性、吸湿性などを向上することが可能となる。
なお、光透過性基板１２には、光透過性基板１２の基材自体に、通常の顔料、染料を含むこともできる。
【０１１５】
このような顔料、染料としては、特に限定されるものではないが、白色顔料として、チタン酸化物、赤色顔料として、ベンガラ（酸化第二鉄）などを含むことができる。
このような原料の割合としては、光透過性基板１２の基材に対して、０．５〜３．５重量％含むのが好ましい。
【０１１６】
上記のように、光透過性基板１２が透明層の際に、光透過性基板１２に顔料や染料を含有させれば、透明層全体を有色透明層としたり、部分的に印刷を施すことにより有色透明層１２ｂとすることができるため、デザインバリエーションに優れ、外観品質が良好な計器類用表示板１０を提供することができる。
【０１１７】
また、このような光透過性基板１２の裏面に設けられた部分印刷層１４は、光透過性基板１２の表面に設けられた遮蔽部材１８の内側と対応する位置に設けられている。
さらに、その上から部分印刷層１４と異なる色調を有する異色印刷層１６が積層されている。
【０１１８】
このような部分印刷層１４と異色印刷層１６との色調関係は、図２に示した公知の色相環５０で円の中心にある白色点を挟んで互いに反対側となる補色関係であると良い。
色相環５０について簡単に説明すると、代表的な色相を系統的に環状に並べたものであり、図２においては、日本色研配色体系（P.C.C.S）を例としたものである。
【０１１９】
このような色相環５０は、紫かかった赤を色相番号１番とし、２番に赤、３番に黄みの赤、４番に赤橙と、順次、黄、緑、青、紫、赤紫へと一巡し、最後の赤紫が色相番号２４番となるようになっている。
【０１２０】
なお、色相番号に対応した色は色相番号2番赤５２より１つおきに赤橙５４、黄橙５６
、黄５８、黄緑６０、緑６２、緑青６４、青緑６６、青６８、青紫７０、紫７２、赤紫７４となっており各色と色の間の色（色相番号が奇数番号の色）は、それらの中間色である。
【０１２１】
このような色相環５０において、互いに向かい合った位置にある色と色（例えば色相番号２０番と色相番号８番）は補色の関係といい、色相環５０の中での色と色の差が一番大きな関係であるため、色と色との差が鮮明である。
【０１２２】
このような補色の関係に本発明の計器類用表示板１０の部分印刷層１４と異色印刷層１６とをすれば、部分印刷層１４と異色印刷層１６との色の違いがはっきりするため、遮蔽部材１８の内側と外側で異なる部分印刷層１４と異色印刷層１６の補色関係の作用、光透過性基板１２の厚みによる表面と裏面との高低差、遮蔽部材１８による部分印刷層１４の際立ちなどの相乗効果により、遮蔽部材１８が立体的に演出され、今までにない、色調変化、金属質感、光の輝きなどが醸し出された、極めて、高級感、デザインバリエーションに優れ、外観品質が良好で、商品性を高めることのできる計器類用表示板１０を提供することができる。
【０１２３】
また、部分印刷層１４と異色印刷層１６との色調関係はこれに限定されるものではなく、例えば補色の関係に近い近似の補色関係（例えば色相番号８番に対して色相番号１９番、２１番）、部分的に濃淡を変えた異濃淡関係などとすれば、本発明の計器類用表示板１０に立体感を演出することができる。
【０１２４】
また、このような部分印刷層１４と異色印刷層１６は、インキまたは塗料より構成されているのが望ましい。
この場合、このようなインキまたは塗料の基材が、アルキッド樹脂、アクリル樹脂、塩化ビニール樹脂、ウレタン樹脂、ポリエステル樹脂から選択した少なくとも１種の樹脂、またはこれらの変成樹脂からなるのが望ましい。
【０１２５】
このように部分印刷層１４と異色印刷層１６を、インキまたは塗料から構成することによって、色調を付与することができるとともに、光透過性基板１２の下面側に部分印刷層１４と異色印刷層１６を、例えば、スクリーン印刷などによって、容易に形成することができる。
【０１２６】
さらに、光透過性基板１２の下面側に形成された部分印刷層１４と異色印刷層１６は、厚さが５〜１５μｍであるのが望ましい。
一方、光透過性基板１２の表面に接着剤３４を介して設けられた遮蔽部材１８は、電着法（電鋳法）、金属板の外形抜きまたはケミカルエッチングによって作成されると良い。
【０１２７】
特に、電着法（電鋳法）は、母型表面に電着により部品を作る技術であり、電気めっきと同じ操作で金属塩溶液の電気分解によって、母型と同じ形状寸法の遮蔽部材１８を得ることができる方法である。
【０１２８】
また、遮蔽部材１８は、インキ被膜でも作成することができる。
このようなインキ被膜は、各種色調のインキから適宜選び、選んだインキを使用しスクリーン印刷、パッド印刷等で形成する。
【０１２９】
また、遮蔽部材１８は、金属被膜で形成することができる。
このような金属被膜は、金属被膜または金属酸化物被膜であることが望ましく、光透過
性基板１２の光屈折率と異なる光屈折率を有する金属被膜または金属酸化物被膜であることが望ましい。
【０１３０】
このように、光透過性基板１２の上面側に形成された金属被膜または金属酸化物被膜の光屈折率と、光透過性基板１２の光屈折率が異なることによって、観察者の見る角度によって異なった色調、金属質感となり、従来にない極めて斬新なデザインの計器類用表示板１０を提供することができる。
【０１３１】
また、光透過性基板１２の表面に形成された金属被膜または金属酸化物被膜は、単層の金属被膜または金属酸化物被膜から形成することができる。
このように光透過性基板１２の表面に形成された金属被膜または金属酸化物被膜が、単層の金属被膜または金属酸化物被膜から形成することによって、この単層の金属被膜または金属酸化物被膜によって、金属質感有する遮蔽部材１８を計器類用表示板１０に付与することができる。
【０１３２】
この場合、光透過性基板１２の表面に形成された単層の金属被膜または金属酸化物被膜の膜厚が、３００〜１０００Åであるのが望ましい。
さらに、このような範囲で、単層の金属被膜または金属酸化物被膜の膜厚を変化させることによって、同一の単層の金属被膜または金属酸化物被膜であっても種々の金属色が得ることが可能で、光透過率も変化させることができる。
【０１３３】
また、光透過性基板１２の表面に形成された金属被膜または金属酸化物被膜が、複数層の金属被膜または金属酸化物被膜から積層形成することもできる。
このように光透過性基板１２の表面に形成された金属被膜または金属酸化物被膜を、複数層の金属被膜または金属酸化物被膜から形成することによって、それぞれの金属被膜または金属酸化物被膜が有する金属質感が組み合わされて、従来にない斬新な金属質感をもった遮蔽部材１８を計器類用表示板１０に付与することができる。
【０１３４】
この場合、このような複数層の金属被膜または金属酸化物被膜が、光屈折率がそれぞれ異なるのが望ましい。
このように、複数層の金属被膜または金属酸化物被膜のそれぞれの光屈折率が異なることによって、観察者の見る角度によって、金属被膜または金属酸化物被膜のそれぞれの異なった色調、パールのような光沢、金属質感となり、従来にない極めて斬新なデザインを有する計器類用表示板１０を提供することができる。
【０１３５】
この場合、光透過性基板１２の上面側に形成された複数の積層された金属被膜または金属酸化物被膜のそれぞれの膜厚が、３００〜１０００Åであるのが望ましい。
さらに、このような範囲で、複数の積層された金属被膜または金属酸化物被膜の膜厚を変化させることによって、同一の複数の積層された金属被膜または金属酸化物被膜であっても種々の金属色が得ることが可能で、光透過率も変化させることができる。
【０１３６】
また、この場合、光透過性基板１２の表面に形成された金属被膜として、Ａｕ、Ａｇ、Ａｌ、Ｃｕ、Ｃｏ、Ｃｒ、Ｆｅ、Ｉｎ、Ｎｉ、Ｐｄ、Ｐｔ、Ｒｈ、Ｓｎ、Ｔｉからから選択した１種の金属、またはこれらの金属の２種以上の合金金属から構成することができる。
【０１３７】
例えば、二元系合金としては、Ａｕ−Ａｇ、Ａｕ−Ｃｕ、Ａｕ−Ｎｉ、Ａｇ−Ｐｄ、Ａｕ−Ａｌ、Ｃｕ−Ａｌ、Ａｕ−Ｃｒ、Ａｕ−Ｃｏ、Ａｕ−Ｉｎ、Ｐｄ−Ｎｉなどが使用可能であり、三元系合金としては、Ａｕ−Ｃｕ−Ｐｄ、Ａｕ−Ａｇ−Ｃｕ、Ａｕ−Ｉｎ−Ｃｏなどが使用可能である。
【０１３８】
このように、二元系合金、三元系合金を用いることによって、単一金属にはない種々の金属色とすることが可能となり、デザインバリエーションが拡大する。
例えば、Ａｕ−Ａｇの場合には、イエローゴールド色を、Ａｕ−Ｃｕ合金の場合には、レッドゴールド色となる。
【０１３９】
さらに、光透過性基板１２の表面に形成された金属酸化物被膜として、酸化シリコン、酸化チタン、酸化ジルコニウム、酸化アルミニウム、酸化鉄、酸化スズからから選択した少なくとも１種の金属酸化物から構成することができる。
【０１４０】
また、光透過性基板１２の表面に形成された金属被膜または金属酸化物被膜が、ドライメッキ処理、例えば、蒸着、スパッタリング、またはイオンプレーティングで形成するのが望ましい。
【０１４１】
また、光透過性基板１２の表面には、接着剤３４を介して接着された遮蔽部材１８の他に、表示印刷層２６が形成されている。
このような表示印刷層２６は、所望のデザインで光透過性基板１２の表面にパット印刷により設けられている。
【０１４２】
このようにして、本発明の計器類用表示板１０を構成すれば、複数の板部材を用意する煩雑な作業が無く、多種多様なデザインを採用でき、立体感を演出することができ、また、今までにない、色調変化、金属質感、光の輝きなどが醸し出された、極めて、高級感、デザインバリエーションに優れ、外観品質が良好で、商品性を高めることのできる計器類用表示板１０および計器類用表示板１０の製造方法を提供することができる。
【０１４３】
図３（ａ）は、本発明の計器類用表示板１０の他の実施例を示す概略正面図、図３（ｂ）は図３（ａ）のＡ−Ａ線による断面図である。
図３の計器類用表示板１０は、基本的には、図１に示した実施例の計器類用表示板１０と同じ構成であるので、同じ構成部材には、同じ参照番号を付してその詳細な説明を省略する。
【０１４４】
このような計器類用表示板１０は、光透過性基板１２が無色透明層１２ａからなり、光透過性基板１２上面に設けられた遮蔽部材１８の内側に位置する箇所に有色透明層１２ｂが設けられている。
【０１４５】
このような、無色透明層１２ａの光透過性基板１２の上面に設けられた有色透明層１２ｂは、遮蔽部材１８の内側に遮蔽部材１８と接するよう構成されているが、有色透明層１２ｂの外輪を遮蔽部材１８が覆い重なるよう構成してもよい。
【０１４６】
また、図３に示した実施例においては、光透過性基板１２が無色透明層１２ａであり、その上面に有色透明層１２ｂを設けた場合を例としたが、これに限定されるものではなく、光透過性基板１２を有色透明層１２ｂとし、その上面に透明インキを使用し、印刷で無色透明層１２ａを部分的に設けたり、また光透過性基板１２を有色透明層１２ｂとし、その上面に光透過性基板１２の有色透明層１２ｂに使用した色と異なる色調のインキを使用し、印刷で有色透明層１２ｂを設けても良い。
【０１４７】
さらに、遮蔽部材１８の内側に位置する部分に無色透明層１２ａまたは有色透明層１２ｂを設けるだけでなく、例えばこれ以外である遮蔽部材１８の外側に位置する部分に無色透明層１２ａまたは有色透明層１２ｂを設けても良い。
【０１４８】
以上のように、例えば光透過性基板１２が無色透明層１２ａからなり、その上面の、光透過性基板１２を上面より見た際に見える部分印刷層１４と一致する位置に有色透明層１２ｂが形成されていれば、無色透明層１２ａの裏面に形成された部分印刷層１４と、有色透明層１２ｂとが重なり合って、新たな色調を醸し出すことができる。
【０１４９】
図４（ａ）は、本発明の他の実施例である計器類用表示板の概略正面図、図４（ｂ）は図４（ａ）の要部拡大図、図４（ｃ）は図４（ａ）の要部拡大図である。
図４の計器類用表示板１０は、基本的には、図１に示した実施例の計器類用表示板１０と同じ構成であるので、同じ構成部材には、同じ参照番号を付してその詳細な説明を省略する。
【０１５０】
図４の計器類用表示板１０は、光透過性基板１２の表面に複数の模様２０、２１、２２、２３が設けられている。
このような模様２０、２１、２２、２３は、光透過性基板１２を射出成形するときに用いられる金型に予め加工することにより、成形された光透過性基板１２の表面にこれらの模様２０、２１、２２、２３が転写されるものである。
【０１５１】
なお、これらの模様は、計器類用表示板１０のデザインに併せて複数種類設けたり、図５（ａ）、図５（ｂ）に示した実施例のように、模様を部分的に設けた部分模様としたりすることができ、特に限定されるものではない。
【０１５２】
また、模様は、図６（ａ）、図６（ｂ）に示したように光透過性基板１２の表面と裏面の表面に設けることもできる。
この場合には、表面の模様２２と裏面の模様２４とが重なるように設けたり、表面の模様２２と裏面の模様２４とが重なり合わないように設けたりすることができる。
【０１５３】
また、図４に示した実施例のように、局所的に模様を変えることもでき、また、模様は光透過性基板１２の裏面のみに設けても良く、これら模様の付け方は、計器類用表示板１０によって適宜選択すると良い。
【０１５４】
このように光透過性基板１２の表面や裏面に模様を設ければ、効果的に立体感を演出することができ、また、今までにない、色調変化、金属質感、光の輝きなどが醸し出された、極めて、高級感、デザインバリエーションに優れ、外観品質が良好で、商品性を高めることができる。
【０１５５】
図７（ａ）は、本発明の計器類用表示板１０の他の実施例を示す概略正面図、図７（ｂ）は図７（ａ）のＡ−Ａ線による断面図である。
図７の計器類用表示板１０は、基本的には、図１に示した実施例の計器類用表示板１０と同じ構成であるので、同じ構成部材には、同じ参照番号を付してその詳細な説明を省略する。
【０１５６】
図７は、光透過性基板１２の裏面に設けられた部分印刷層１４と異色印刷層１６とが互いに重なり合うことなく設けられている。
このように部分印刷層１４と異色印刷層１６とが互いに重なり合うことなく設けられていれば、部分印刷層１４と異色印刷層１６との境界が鮮明となり、効果的に立体感を演出することができる。
【０１５７】
また、今までにない、色調変化、金属質感、光の輝きなどが醸し出された、極めて、高級感、デザインバリエーションに優れ、外観品質が良好で、商品性を高めることができる。
【０１５８】
図８（ａ）は、本発明の計器類用表示板１０の他の実施例を示す概略正面図、図８（ｂ）は図８（ａ）のＡ−Ａ線による断面図である。
図８の計器類用表示板１０は、基本的には、図１に示した実施例の計器類用表示板１０と同じ構成であるので、同じ構成部材には、同じ参照番号を付してその詳細な説明を省略する。
【０１５９】
図８の計器類用表示板１０は、計器類用表示板１０の上方より計器類用表示板１０を見た際に、部分印刷層１４と異色印刷層１６との境界が遮蔽部材１８によって、見えないよう構成されている。
【０１６０】
このように構成された計器類用表示板１０は、計器類用表示板１０を真上から見た際や、斜めから見た際にも遮蔽部材１８で部分印刷層１４と異色印刷層１６の境界が隠れているため、境界部分が目に映ることが無く、デザイン性が良好である。
【０１６１】
また、このような計器類用表示板１０は、図７に示した実施例の計器類用表示板１０のように、部分印刷層１４と異色印刷層１６とが重なり合うことなく設けられていても良い。
【０１６２】
また、この場合においても、計器類用表示板１０を真上から見た際や、斜めから見た際にも遮蔽部材１８で部分印刷層１４と異色印刷層１６の境界が隠れているため、境界部分が目に映ることが無く、デザイン性が良好である。
【０１６３】
図９（ａ）は、本発明の計器類用表示板１０の他の実施例を示す概略正面図、図９（ｂ）は図９（ａ）のＡ−Ａ線による断面図である。
図９の計器類用表示板１０は、基本的には、図１に示した実施例の計器類用表示板１０と同じ構成であるので、同じ構成部材には、同じ参照番号を付してその詳細な説明を省略する。
【０１６４】
図９の計器類用表示板１０は、部分印刷層１４と異色印刷層１６の中に、光が当たると反射して光沢を発する光反射粉３６が分散されている。
このような光反射粉３６としては、光反射粉３６のコアとなるマイ力（雲母）の表面に金属または金属酸化物が被覆された光反射粉３６から構成することが好ましい。
【０１６５】
このようなマイカ（雲母）としては、特に限定されるものではないが、例えば、透明または淡い黄色を呈する硬質マイカ（Ｍｕｓｃｏｖｉｔｅ）（Ｋａｌ2（Ｓｉ3Ａｌ）Ｏ10（ＯＨ）2）、褐色または暗緑色を呈する軟質マイカ(Ｐｈｌｏｇｏｐｉｔｅ)(ＫＭｇ（Ｓｉ3Ａｌ）Ｏ10（ＯＨ）2)を用いることができる。
【０１６６】
また、この場合、マイ力（雲母）の表面に被覆される金属としては、ニッケル、アルミニウム、金、銀、銅、パラジウムから選択した１種の金属、またはこれら金属の２種以上の合金金属から構成することができる。
【０１６７】
例えば、二元系合金としては、Ａｕ−Ａｇ、Ａｕ−Ｃｕ、Ａｕ−Ｎｉ、Ａｇ−Ｐｄ、Ａｕ−Ａｌ、Ｃｕ−Ａｌ、Ａｕ−Ｃｒ、Ａｕ−Ｃｏ、Ａｕ−Ｉｎ、Ｐｄ−Ｎｉなどが使用可能であり、三元系合金としてはＡｕ−Ｃｕ−Ｐｄ、Ａｕ−Ａｇ−Ｃｕ、Ａｕ−Ｉｎ−Ｃｏなどが使用可能である。
【０１６８】
このように、二元系合金、三元系合金を用いることによって、単一金属にはない種々の金属色とすることが可能となり、デザインバリエーションが拡大する。
例えば、Ａｕ−Ａｇの場合には、イエローゴールド色を、Ａｕ−Ｃｕ合金の場合には、レッドゴールド色となる。
【０１６９】
また、マイ力（雲母）の表面に被覆される金属酸化物としては、酸化チタン、酸化鉄、酸化スズ、酸化シリコン、酸化アルミニウム、または酸化ジルコニウムから選択した少なくとも１種の金属酸化物から構成することができる。
【０１７０】
さらに、部分印刷層１４と異色印刷層１６の中に含まれる光沢を有する光反射粉３６が、マイカ（雲母）を、４０〜８０重量％、金属または金属酸化物を、２０〜６０重量％含むのが好ましい。
【０１７１】
このような割合であれば、マイカ（雲母）の有する色調、光沢と、金属または金属酸化物の有する金属色が重なり合って、パールのような光沢を有し、しかも金属光沢をも有するような光沢を部分印刷層１４と異色印刷層１６に付与することができる。
【０１７２】
また、部分印刷層１４と異色印刷層１６に含まれる光沢を有する光反射粉３６として、酸化アルミニウムまたは酸化シリコンからなるフレーク（薄片）の表面に金属または金属酸化物が被覆された光反射粉３６から構成することが好ましい。
【０１７３】
この場合、フレーク（薄片）の表面に被覆される金属が、ニッケル、アルミニウム、金、銀、銅、パラジウムから選択した１種の金属、またはこれら金属の２種以上の合金金属から構成することができる。
【０１７４】
例えば、二元系合金としてはＡｕ−Ａｇ、Ａｕ−Ｃｕ、Ａｕ−Ｎｉ、Ａｇ−Ｐｄ、Ａｕ−Ａｌ、Ｃｕ−Ａｌ、Ａｕ−Ｃｒ、Ａｕ−Ｃｏ、Ａｕ−Ｉｎ、Ｐｄ−Ｎｉなどが使用可能であり、三元系合金としては、Ａｕ−Ｃｕ−Ｐｄ、Ａｕ−Ａｇ−Ｃｕ、Ａｕ−Ｉｎ−Ｃｏなどが使用可能である。
【０１７５】
このように、二元系合金、三元系合金を用いることによって、単一金属にはない種々の金属色とすることが可能となり、デザインバリエーションが拡大する。
例えば、Ａｕ−Ａｇの場合には、イエローゴールド色を、Ａｕ−Ｃｕ合金の場合には、レッドゴールド色となる。
【０１７６】
また、フレーク（薄片）の表面の表面に被覆される金属酸化物としては、酸化チタン、酸化鉄、酸化スズ、酸化シリコン、酸化アルミニウム、または酸化ジルコニウムから選択した少なくとも１種の金属酸化物から構成することができる。
【０１７７】
この場合、Ａｌ2Ｏ3、金属酸化物として、Ｆｅ2Ｏ3を用いて、金属酸化物の膜厚を変化させることによって、銅色から赤へと色調を自由に変化させることができる。
また、フレーク（薄片）として、Ａｌ2Ｏ3、金属酸化物として、ＳｎＯ2とＴｉＯ2の２層構造を用いて、それぞれの金属酸化物の膜厚を変化させることによって、銀色、金色、赤、青、から緑と色調を自由に変化させることができる。
【０１７８】
さらに、フレーク（薄片）として、ＳｉＯ2、金属酸化物として、Ｆｅ2Ｏ3を用い用い
ることによって、見る角度によって赤色から緑色まで変化する色調が得られる。
また、フレーク（薄片）として、ＳｉＯ2、金属酸化物として、ＳｎＯ2とＴｉＯ2の２
層構造を用いることによって、見る角度によって紫色から緑色まで変化する色調が得られる。
【０１７９】
さらに、部分印刷層１４と異色印刷層１６の中に含まれる光沢を有する光反射粉３６が
、フレーク（薄片）を、４０〜８０重量％、金属または金属酸化物を、２０〜６０重量％含むのが好ましい。
【０１８０】
このような割合であれば、フレーク（薄片）の有する色調、光沢と、金属または金属酸化物の有する金属色があいまって、パールのような光沢を有し、しかも金属光沢をも有するような光沢を部分印刷層１４と異色印刷層１６に付与することができる。
【０１８１】
また、本発明では、光沢を有する光反射粉３６は、粒径が５〜５０μｍであるのが望ましい。
すなわち、光沢を有する光反射粉３６の粒径がこのような範囲にあれば、部分印刷層１４と異色印刷層１６の中に光が入射した際に、光沢を有する光反射粉３６がきらきらと輝きを放ち、部分印刷層１４と異色印刷層１６が、輝きをもった光沢を醸し出すことができる。
【０１８２】
また、部分印刷層１４と異色印刷層１６が、光沢を有する光反射粉３６を、部分印刷層１４または異色印刷層１６の基材に対して０．５〜５重量％含むのが望ましい。
このような範囲にパールのような光沢を有する光反射粉３６があれば、部分印刷層１４と異色印刷層１６の中に光が入射した際に、光沢を有する光反射粉３６がきらきらと輝きを放ち、部分印刷層１４と異色印刷層１６が輝きをもった光沢を醸し出すことができる。
【０１８３】
また、光反射粉３６は、部分印刷層１４の中のみに含有されても良いし、さらに異色印刷層１６の中のみに含有されても良い。
また、例えば計器類用表示板１０の外周部の部分に対応する部分印刷層１４または異色印刷層１６のみに光反射粉３６を設けるなど、デザインなどに併せて適宜選択すると良い。
【０１８４】
さらに、このような光反射粉３６は、光透過性基板１２中に含有しても良い。
このような光透過性基板１２は、ペレット状にした基材を構成する合成樹脂と、光沢を有する光反射粉３６とを、射出成形によって成形することによって作製することが可能である。
【０１８５】
図１０（ａ）は、本発明の他の実施例である計器類用表示板の概略正面図、図１０（ｂ）は図１０（ａ）の要部拡大図である。
図１０の計器類用表示板１０は、基本的には、図１に示した実施例の計器類用表示板１０と同じ構成であるので、同じ構成部材には、同じ参照番号を付してその詳細な説明を省略する。
【０１８６】
図１０（ａ）に示した計器類用表示板１０の光透過性基板１２の表面に設けられた表示印刷層２６は、図１０（ｂ）に示したように色調の異なるインキ２８とインキ３０により印刷されている。
【０１８７】
このような表示印刷層２６は、メインとなるインキ２８の周囲を色調の異なるインキ３０で縁取りしたように印刷がなされ、これによりメインとインキ２８の色がはっきりと表示されるとともに、効果的に立体感・高級感を演出することができる。
【０１８８】
また、今までにない、色調変化、金属質感、光の輝きなどが醸し出された、極めて、高級感、デザインバリエーションに優れ、外観品質が良好で、商品性を高めることができる。
【０１８９】
また、このような表示印刷層２６は、図１１（ａ）、図１１（ｂ）に示したように、メ
インのインキ２８と接するようにインキ３０が印刷されている。
また、図１２（ａ）、図１２（ｂ）に示した表示印刷層２６では、光透過性基板１２の表面にインキ３０（太い線幅）を先に印刷し、そこにメインとなるインキ２８（細い線幅）を重ねて印刷している。
【０１９０】
さらに、インキ２８とインキ３０とを部分的に重ね合わせれば、表示印刷層２６に陰影ができているように見せることができ、これによって効果的に立体感・高級感を演出することができる。
【０１９１】
このように上記実施例では、本発明の計器類用表示板の一例を示したが、本発明は何らこれに限定されるものではなく、これらの実施例を組み合わせて実施することも可能であり、本発明の目的を逸脱しない範囲で種々の変更が可能である。
【実施例１】
【０１９２】
基材の樹脂として、ポリカーボネート樹脂を用いて射出成形を行い、厚さ５００μｍの光透過性基板１２を得た。
光透過性基板１２として使用されるポリカーボネート樹脂には、粒径が５μｍ〜５０μｍの光反射粉３６が含有され、マイカ（Ａｌ2Ｏ3）の表面にＴｉＯ2とＦｅ2Ｏ3を層状に
被覆してゴールド色の色調とした（メタリック調の色調）。
【０１９３】
また、射出成形に用いられる金型のキャビ側（光透過性基板１２の表面に該当）には予め、部分印刷層１４に対応する箇所に旭光目の模様が加工され、それ以外の箇所には部分印刷層１４に対応する箇所とは異なるピアジェカットの模様が加工され、この金型を用いて成形された光透過性基板１２には、表面にこれらの模様が施された。
【０１９４】
この光透過性基板１２の裏面に、青（色調番号１８）色の顔料を混ぜたアクリル樹脂より成るインキで厚さ５μｍ〜１５μｍの部分印刷層１４と、さらにこの上から黄橙（色調番号６）色の顔料を混ぜたアクリル樹脂より成るインキで厚さ５μｍ〜１５μｍの異色印刷層１６がスクリーン印刷により印刷された。
【０１９５】
また、光透過性基板１２の表面には、光透過性基板１２の裏面に設けられた部分印刷層１４と対応する部分に、電着法（電鋳法）にて作られた厚さ３０μｍの遮蔽部材１８が設けられた。
【０１９６】
なお、遮蔽部材１８の上面には、装飾被膜３２として厚さ０．５μｍのロジウムめっきが施され、さらにその上にはパット印刷により表示印刷層２６が印刷された。
また、光透過性基板１２の表面には、表示印刷層２６（切分、メーカー名等）がパット印刷により印刷され、計器類用表示板１０が作成された。
【０１９７】
このように得られた計器類用表示板１０は、立体感・高級感を演出することができ、また、今までにない、色調変化、金属質感、光の輝きなどが醸し出された、極めて、高級感、デザインバリエーションに優れ、外観品質が良好で、商品性を高めることができた。
【０１９８】
なお、マイカは、計器類用表示板１０の下地の色調によって見え方が異なるため、実施例では、計器類用表示板１０のみを見た際の評価をした。
また、この計器類用表示板１０を、ソーラー時計用表示板に用いたところ、ソーラーセルの発電に寄与する光透過率２０〜４０％を有し、ソーラー時計自体の機能を阻害することがなかった。
【実施例２】
【０１９９】
基材の樹脂として、ポリカーボネート樹脂を用いて射出成形を行い、厚さ４００μｍの無色透明の光透過性基板１２を得た。
また、射出成形に用いられる金型のキャビ側（光透過性基板１２の表面に該当）とコア側（光透過性基板１２の裏面に該当）には予め、部分印刷層に対応する箇所に旭光目の模様が加工され、それ以外の箇所には部分印刷層１４に対応する箇所とは異なるピアジェカットの模様が加工され、この金型を用いて成形された光透過性基板１２には、表面と裏面にこれらの模様が施された。
【０２００】
この光透過性基板１２の裏面に、青（色調番号１８）色の顔料を混ぜたウレタン樹脂より成るインキで厚さ５μｍ〜１５μｍの部分印刷層１４と、さらにこの上から黄橙（色調番号６）色の顔料を混ぜたウレタン樹脂より成るインキで厚さ５μｍ〜１５μｍの異色印刷層１６がスクリーン印刷により印刷された。
【０２０１】
また、光透過性基板１２の表面には、光透過性基板１２の裏面に設けられた部分印刷層１４と対応する部分に、電着法（電鋳法）にて作られた厚さ３０μｍの遮蔽部材１８が設けられた。
【０２０２】
なお、遮蔽部材１８の上面には、装飾被膜として厚さ０．５μｍの金めっきが施され、さらにその上にはパット印刷により表示印刷層２６が印刷された。
また、光透過性基板１２の表面には、表示印刷層２６がパット印刷により印刷され、計器類用表示板１０が作成された。
【０２０３】
このように得られた計器類用表示板１０は、立体感・高級感を演出することができ、また、今までにない、色調変化、金属質感、光の輝きなどが醸し出された、極めて、高級感、デザインバリエーションに優れ、外観品質が良好で、商品性を高めることができた。
【０２０４】
また、この計器類用表示板１０を、ソーラー時計用表示板に用いたところ、ソーラーセルの発電に寄与する光透過率２０〜４０％を有し、ソーラー時計自体の機能を阻害することがなかった。
【実施例３】
【０２０５】
基材の樹脂として、ポリカーボネート樹脂を用いて射出成形を行い、厚さ３００μｍの無色透明の光透過性基板１２を得た。
また、射出成形に用いられる金型のキャビ側（光透過性基板１２の表面に該当）には予め、部分印刷層１４に対応する箇所に旭光目の模様が加工され、それ以外の箇所には部分印刷層１４に対応する箇所とは異なるピアジェカットの模様が加工され、この金型を用いて成形された光透過性基板１２には、表面にこれらの模様が施された。
【０２０６】
この光透過性基板１２の裏面に、黄橙（色調番号６）色の顔料を混ぜたアクリル樹脂より成るインキで厚さ５μｍ〜１５μｍの部分印刷層１４と、さらにこの上から光反射粉３６として粒径が５μｍ〜５０μｍであり、マイカ（Ａｌ2Ｏ3）の表面にＴｉＯ2を層状に
被覆して緑みかかった青（色調番号１７）の色調とした顔料を混ぜたアクリル樹脂より成るインキで厚さ５μｍ〜１５μｍの異色印刷層１６がスクリーン印刷により印刷された（メタリック調の色調）。
【０２０７】
また、光透過性基板１２の表面には、光透過性基板１２の裏面に設けられた部分印刷層１４と対応する部分に、電着法（電鋳法）にて作られた厚さ３０μｍの遮蔽部材１８が設けられた。
【０２０８】
なお、遮蔽部材１８の上面には、装飾被膜として厚さ０．５μｍの金めっきが施され、
さらにその上にはパット印刷により表示印刷層２６が印刷された。
また、光透過性基板１２の表面には、表示印刷層２６がパット印刷により印刷され、計器類用表示板１０が作成された。
【０２０９】
このように得られた計器類用表示板１０は、立体感・高級感を演出することができ、また、今までにない、色調変化、金属質感、光の輝きなどが醸し出された、極めて、高級感、デザインバリエーションに優れ、外観品質が良好で、商品性を高めることができた。
【０２１０】
なお、マイカは、計器類用表示板１０の下地の色調によって、見え方が異なるため、実施例では、計器類用表示板１０のみを見た際の評価をした。
また、この計器類用表示板１０を、ソーラー時計用表示板に用いたところ、ソーラーセルの発電に寄与する光透過率１５〜４０％を有し、ソーラー時計自体の機能を阻害することがなかった。
【実施例４】
【０２１１】
基材の樹脂として、ポリカーボネート樹脂を用いて射出成形を行い、厚さ６００μｍの無色透明の光透過性基板１２を得た。
また、射出成形に用いられる金型のキャビ側（光透過性基板１２の表面に該当）には予め、部分印刷層１４に対応する箇所に旭光目の模様が加工され、それ以外の箇所には部分印刷層１４に対応する箇所とは異なるピアジェカットの模様が加工され、この金型を用いて成形された光透過性基板１２には、表面にこれらの模様が施された。
【０２１２】
この光透過性基板１２の裏面に、黄橙（色調番号６）色の顔料を混ぜたウレタン樹脂より成る厚さ５μｍ〜１５μｍの部分印刷層１４と、さらにこの上から緑みかかった青（色調番号１７）色の顔料を混ぜたウレタン樹脂より成る厚さ５μｍ〜１５μｍの異色印刷層１６がスクリーン印刷により印刷された。
【０２１３】
また、光透過性基板１２の表面には、光透過性基板１２の裏面に設けられた部分印刷層１４と対応する部分に、スクリーン印刷にて厚さ２０μｍの遮蔽部材１８が印刷された。
なお、遮蔽部材１８は、金色のインキが施され、さらにその上にはパット印刷により表示印刷層２６が印刷された。
【０２１４】
また、光透過性基板１２の表面には、表示印刷層２６がパット印刷により印刷され、計器類用表示板１０が作成された。
このように得られた計器類用表示板１０は、立体感・高級感を演出することができ、また、今までにない、色調変化、金属質感、光の輝きなどが醸し出された、極めて、高級感、デザインバリエーションに優れ、外観品質が良好で、商品性を高めることができた。
【０２１５】
また、この計器類用表示板１０を、ソーラー時計用表示板に用いたところ、ソーラーセルの発電に寄与する光透過率１５〜４０％を有し、ソーラー時計自体の機能を阻害することがなかった。
【実施例５】
【０２１６】
基材の樹脂として、ポリカーボネート樹脂を用いて射出成形を行い、厚さ５００μｍの無色透明の光透過性基板１２を得た。
この光透過性基板１２の裏面に、黄橙（色調番号６）色の顔料を混ぜたアルキッド樹脂より成る厚さ５μｍ〜１５μｍの部分印刷層１４と、さらにこの上から青みかかった緑（色調番号１３）色の顔料を混ぜたアルキッド樹脂より成る厚さ５μｍ〜１５μｍの異色印刷層１６がスクリーン印刷により印刷された。
【０２１７】
また、光透過性基板１２の表面には、光透過性基板１２の裏面に設けられた部分印刷層１４と対応する部分に、スクリーン印刷にて厚さ２５μｍの遮蔽部材１８が印刷された。
なお、遮蔽部材１８は、黒色のインキが施され、さらにその上にはパット印刷により表示印刷層２６が印刷された。
【０２１８】
また、光透過性基板１２の表面には、表示印刷層２６がパット印刷により印刷され、計器類用表示板１０が作成された。
このように得られた計器類用表示板１０は、立体感・高級感を演出することができ、また、今までにない、色調変化、金属質感、光の輝きなどが醸し出された、極めて、高級感、デザインバリエーションに優れ、外観品質が良好で、商品性を高めることができた。
【０２１９】
また、この計器類用表示板１０を、ソーラー時計用表示板に用いたところ、ソーラーセルの発電に寄与する光透過率１５〜４０％を有し、ソーラー時計自体の機能を阻害することがなかった。
【実施例６】
【０２２０】
基材の樹脂として、アクリル樹脂を用いて射出成形を行い、厚さ４００μｍの無色透明の光透過性基板１２を得た。
また、射出成形に用いられる金型のキャビ側（光透過性基板１２の表面に該当）には予め、部分印刷層１４に対応する箇所に旭光目の模様が加工され、それ以外の箇所には部分印刷層１４に対応する箇所とは異なるピアジェカットの模様が加工され、この金型を用いて成形された光透過性基板１２には、表面にこれらの模様が施された。
【０２２１】
この光透過性基板１２の裏面に、マイカ（Ａｌ2Ｏ3）の表面にＳｎＯ2とＴｉＯ2を層状に被覆してシルバー色の色調とした顔料を混ぜたアクリル樹脂より成る厚さ５μｍ〜１５μｍの部分印刷層１４と、さらにこの上から青（色調番号１８）色の顔料を混ぜたアクリル樹脂より成る厚さ５μｍ〜１５μｍの異色印刷層１６がスクリーン印刷により印刷された（部分印刷層１４はメタリック調の色調）。
【０２２２】
また、光透過性基板１２の表面には、光透過性基板１２の裏面に設けられた部分印刷層１４と対応する部分に、金属板をエッチングして作られた厚さ３０μｍの遮蔽部材１８が接着剤を介して接着された。
【０２２３】
なお、遮蔽部材１８の上面には、装飾被膜として厚さ０．８μｍのロジウムめっきが施され、さらにその上にはパット印刷により表示印刷層２６が印刷された。
また、光透過性基板１２の表面には、表示印刷層２６がパット印刷により印刷され、計器類用表示板１０が作成された。
【０２２４】
このように得られた計器類用表示板１０は、立体感・高級感を演出することができ、また、今までにない、色調変化、金属質感、光の輝きなどが醸し出された、極めて、高級感、デザインバリエーションに優れ、外観品質が良好で、商品性を高めることができた。
【０２２５】
なお、マイカは、計器類用表示板１０の下地の色調によって、見え方が異なるため、実施例では、計器類用表示板１０のみを見た際の評価をした。
また、この計器類用表示板１０を、ソーラー時計用表示板に用いたところ、ソーラーセルの発電に寄与する光透過率２０〜４０％を有し、ソーラー時計自体の機能を阻害することがなかった。
【０２２６】
以上の実施例１〜実施例６について、表１に示した。
【０２２７】
【表１】
2006275992.tif 000003
【図面の簡単な説明】
【０２２８】
【図１】図１（ａ）は、本発明の第１の実施例である計器類用表示板の概略正面図、図１（ｂ）は図１（ａ）のＡ−Ａ線による断面図である。
【図２】図２は、本発明の第１の実施例である計器類用表示板の部分印刷層と異色印刷層の関係を説明するために用いる色相環の図である。
【図３】図３（ａ）は、本発明の他の実施例である計器類用表示板の概略正面図、図３（ｂ）は図３（ａ）のＡ−Ａ線による断面図である。
【図４】図４（ａ）は、本発明の他の実施例である計器類用表示板の概略正面図、図４（ｂ）は図４（ａ）の要部拡大図、図４（ｃ）は図４（ａ）の要部拡大図である。
【図５】図５（ａ）は、本発明の他の実施例である計器類用表示板の概略正面図、図５（ｂ）は図５（ａ）のＡ−Ａ線による断面図である。
【図６】図６（ａ）は、本発明の他の実施例である計器類用表示板の概略正面図、図６（ｂ）は図６（ａ）のＡ−Ａ線による断面図である。
【図７】図７（ａ）は、本発明の他の実施例である計器類用表示板の概略正面図、図７（ｂ）は図７（ａ）のＡ−Ａ線による断面図である。
【図８】図８（ａ）は、本発明の他の実施例である計器類用表示板の概略正面図、図８（ｂ）は図８（ａ）のＡ−Ａ線による断面図である。
【図９】図９（ａ）は、本発明の他の実施例である計器類用表示板の概略正面図、図９（ｂ）は図９（ａ）のＡ−Ａ線による断面図である。
【図１０】図１０（ａ）は、本発明の他の実施例である計器類用表示板の要部拡大正面図、図１０（ｂ）は図１０（ａ）の要部拡大図である。
【図１１】図１１（ａ）は、本発明の他の実施例である計器類用表示板の要部拡大正面図、図１１（ｂ）は図１１（ａ）のＡ−Ａ線による断面図である。
【図１２】図１２（ａ）は、本発明の他の実施例である計器類用表示板の要部拡大正面図、図１２（ｂ）は図１２（ａ）のＡ−Ａ線による断面図である。
【図１３】図１３は、従来の時計用文字板の正面図と断面図である。
【図１４】図１４は、従来の時計用文字板の正面図と断面図である。
【符号の説明】
【０２２９】
１０    計器類用表示板
１２    光透過性基板
１２ａ  無色透明層
１２ｂ  有色透明層
１４    部分印刷層
１６    異色印刷層
１８    遮蔽部材
２０    模様
２２    模様
２４    模様
２６    表示印刷層
２８    インキ
３０    インキ
３２    装飾被膜
３４    接着剤
３６    光反射粉
５０    色相環
５２    赤
５４    赤橙
５６    黄橙
５８    黄
６０    黄緑
６２    緑
６４    緑青
６６    青緑
６８    青
７０    青紫
７２    紫
７４    赤紫
１００    時計用文字板
１０２    円板状の板
１０４    サブダイヤル部
２００    時計用文字板
２０２    上板
２０４    サブダイヤル部
２０６    下板
【図１】
2006275992.tif 000004
【図２】
2006275992.tif 000005
【図３】
2006275992.tif 000006
【図４】
2006275992.tif 000007
【図５】
2006275992.tif 000008
【図６】
2006275992.tif 000009
【図７】
2006275992.tif 000010
【図８】
2006275992.tif 000011
【図９】
2006275992.tif 000012
【図１０】
2006275992.tif 000013
【図１１】
2006275992.tif 000014
【図１２】
2006275992.tif 000015
【図１３】
2006275992.tif 000016
【図１４】
2006275992.tif 000017